(57)【特許請求の範囲】
【請求項１】
選択画面に複数の選択肢をアイコンで表示し、前記複数の選択肢のうち特定の選択肢が選択された場合に表示される映像表示画面に、入力された映像に基づいて判定された結果に対応した表示形態で示されるアイコンであり、前記判定された結果が変化したことに応じて表示形態が変化する可変アイコンを表示するように制御する制御手段と、
前記映像表示画面を表示している際に受け付けた所定のユーザ操作に応じて、前記可変アイコンの表示形態を、前記選択画面における前記特定の選択肢に対応し、入力された映像には基づかない表示形態に変更し、該変更の後に前記選択画面を表示するように表示を切り替える切替手段と、
を備えることを特徴とする表示制御装置。
【請求項２】
入力された映像に基づく表示形態で表示されるアイコンである可変アイコンを表示する映像表示画面と、前記映像表示画面とは異なる画面であり選択肢としてアイコンを表示する選択画面とを切り替える切替手段と、
前記可変アイコンに関する所定のユーザ操作を受け付ける受付手段と、
前記映像表示画面の表示中に、前記受付手段により前記所定のユーザ操作が受け付けられたことに応じて、前記可変アイコンを前記入力された映像に基づく表示形態から、入力された映像には基づかない表示形態に変更して表示するように制御する表示制御手段と、
前記可変アイコンの表示形態が変更された後に、前記映像表示画面から、変更された表示形態の前記可変アイコンと同じ表示形態のアイコンまたはそのサイズを異ならせたアイコンが前記選択肢として表示された前記選択画面へと切り替えるように前記切替手段を制御する制御手段とを有することを特徴とする表示制御装置。
【請求項３】
前記可変アイコンへのタッチ操作を検出可能なタッチ検出手段をさらに有し、
前記所定のユーザ操作は、前記可変アイコンへのタッチ操作であることを特徴とする請求項１または２に記載の表示制御装置。
【請求項４】
前記選択肢として表示されるアイコンが前記選択画面で表示される位置は、前記映像表示画面で前記可変アイコンが表示される位置とは異なることを特徴とする請求項１乃至３の何れか１項に記載の表示制御装置。
【請求項５】
前記可変アイコンの表示形態には、少なくとも第１のシーンを示す第１のシーン表示形態と、第２のシーンを示し前記第１のシーン表示形態とは異なる第２のシーン表示形態とがあり、
前記第１のシーン表示形態で前記可変アイコンが表示されている際に、および、前記第２のシーン表示形態で前記可変アイコンが表示されている際に、前記所定のユーザ操作がされたことに応じて前記可変アイコンは同じ表示形態に変更されることを特徴とする請求項１乃至４の何れか１項に記載の表示制御装置。
【請求項６】
前記入力された映像は撮像手段で撮像した画像であることを特徴とする請求項１乃至５の何れか１項に記載の表示制御装置。
【請求項７】
前記映像表示画面は、撮像手段で撮像したスルー画像を表示する画面であることを特徴とする請求項１乃至６の何れか１項に記載の表示制御装置。
【請求項８】
前記選択画面は、モードの選択画面であることを特徴とする請求項１乃至７の何れか１項に記載の表示制御装置。
【請求項９】
前記制御手段は、前記所定のユーザ操作が行われてから、前記選択画面へと切り換えられる間に、前記可変アイコンから表示形態が変更されたアイコンを前記映像表示画面で表示される位置から、前記所定のユーザ操作が行われた際に表示されていた位置とは異なる位置に移動するように制御することを特徴とする請求項１乃至８の何れか１項に記載の表示制御装置。
【請求項１０】
前記制御手段は、前記可変アイコンの表示形態を変更した後、変更された表示形態で前記可変アイコンを所定時間にわたって表示してから前記選択画面へ切り換えるように制御することを特徴とする請求項１乃至９のいずれか１項に記載の表示制御装置。
【請求項１１】
前記制御手段は、前記映像表示画面から前記選択画面に切替える際に、選択画面での選択肢としてアイコンを表示する前に、前記映像表示画面で前記所定のユーザ操作を受け付ける前とは異なる背景に前記可変アイコンから表示形態が変更されたアイコンを表示することを特徴とする請求項１乃至１０のいずれか１項に記載の表示制御装置。
【請求項１２】
前記可変アイコンに関する前記所定のユーザ操作は、前記可変アイコンにおいてタッチアップが検出されたことであることを特徴とする請求項３に記載の表示制御装置。
【請求項１３】
前記制御手段は、
前記可変アイコンへのタッチが検出されたことに応じて前記可変アイコンの表示形態を変更するように制御し、
前記可変アイコンからタッチアップが検出されたことに応じて前記選択画面に切替えるように制御することを特徴とする請求項３に記載の表示制御装置。
【請求項１４】
前記選択画面は、撮像手段により得られた撮像画像に基づいて判定された撮影シーンに応じた撮影設定で撮影するオートシーン判別モードを含む撮影モードを選択する撮影モード選択画面であって、
前記制御手段は、前記撮影モード選択画面において前記オートシーン判別モードが選択された場合に、前記可変アイコンは前記判定された撮影シーンに応じた表示形態で表示するように制御することを特徴とする請求項１乃至１３の何れか１項に記載の表示制御装置。
【請求項１５】
選択画面に複数の選択肢をアイコンで表示し、前記複数の選択肢のうち特定の選択肢が選択された場合に表示される映像表示画面に、入力された映像に基づいて判定された結果に対応した表示形態で示されるアイコンであり、前記判定された結果が変化したことに応じて表示形態が変化する可変アイコンを表示するように制御する制御ステップと、
前記映像表示画面を表示している際に受け付けた所定のユーザ操作に応じて、前記可変アイコンの表示形態を、前記選択画面における前記特定の選択肢に対応し、入力された映像には基づかない表示形態に変更し、該変更の後に前記選択画面を表示するように表示を切り替える切替ステップと、
を備えることを特徴とする表示制御装置の制御方法。
【請求項１６】
入力された映像に基づく表示形態で表示されるアイコンである可変アイコンを表示する映像表示画面と、前記映像表示画面とは異なる画面であり選択肢としてアイコンを表示する選択画面とを切り替える切替ステップと、
前記可変アイコンに関する所定のユーザ操作を受け付ける受付ステップと、
前記映像表示画面の表示中に、前記受付ステップにおいて前記所定のユーザ操作が受け付けられたことに応じて、前記可変アイコンを前記入力された映像に基づく表示形態から、入力された映像には基づかない表示形態に変更して表示するように制御する表示制御ステップと、
前記可変アイコンの表示形態が変更された後に、前記映像表示画面から、変更された表示形態の前記可変アイコンと同じ表示形態のアイコンまたはそのサイズを異ならせたアイコンが前記選択肢として表示された前記選択画面へと切り替えるように制御する制御ステップとを有することを特徴とする表示制御装置の制御方法。
【請求項１７】
コンピュータを、請求項１乃至１４のいずれか１項に記載された表示制御装置の各手段として機能させるプログラム。
【請求項１８】
コンピュータを、請求項１乃至１４のいずれか１項に記載された表示制御装置の各手段として機能させるプログラムを格納したコンピュータが読み取り可能な記憶媒体。
【発明の詳細な説明】
【技術分野】
【０００１】
本発明は、表示形態が変化するアイコンを表示する表示制御装置およびその方法に関する。
【背景技術】
【０００２】
アイコンによって機器の状態や設定状況をユーザに示すことが行われている。特許文献１では、所望の設定項目の設定内容の変更をアイコンの選択によって行った後に一覧画面に戻った際に、一覧画面上で変更したばかりの設定内容を示すアイコンを強調表示することが記載されている。このような表示によれば、ユーザは、変更した設定内容がどのアイコンに該当するのかを認識できる。また、特許文献２には、撮影されている画像の特徴などから自動的に撮影シーンを判別し、判別したシーンに応じて、露出やシャッター速度、ストロボ発光量等を制御することが記載されている。
【先行技術文献】
【特許文献】
【０００３】
【特許文献１】特開２００９−１７７３６５号公報
【特許文献２】特開２００７−１２１６５４号公報
【発明の概要】
【発明が解決しようとする課題】
【０００４】
特許文献２のように自動的に撮影シーンを判別する撮影モードで動作中の撮像装置において、現在判別されている撮影シーンがなんであるかをアイコンの表示形態を変更することにより示そうとしたとする。この場合、たとえば図４（ａ）、（ｂ）のボタンアイコンであるオートシーンアイコン４０１に示されるように、現在判別されている撮影シーンに応じてアイコンの表示形態が自動的に変化することになる。このような表示状態において、撮影モードを選択するためのアイコンの一覧画面を表示するように指示されると、図５に示すような撮影モード選択画面５００が表示される。
【０００５】
この場合、アイコンの表示形態を図４（ａ）や（ｂ）のオートシーンアイコン４０１のようにデフォルトの表示状態（図５のボタンアイコン５０１）から変化した状態で撮影モード選択画面５００のボタンアイコン５０１として表示することが考えられる。しかしながら、このような表示制御を行なうと、撮影モード選択画面５００のようなアイコン選択一覧画面において、アイコンの意味を理解しにくくなる。一方、撮影モード選択画面５００を表示する場合には、直前の画面におけるボタンアイコンの表示形態に関わらずボタンアイコン５０１の表示形態を用いるようにすることが考えられる。しかしながら、このような表示制御を行なうと、撮影モード選択画面５００のようなアイコン選択一覧画面で表示されるボタンアイコンとの対応が分かりにくくなる。たとえば、オートシーンアイコン４０１をタッチすることで図５に示す撮影モード選択画面を再表示するような表示制御の場合、選択したオートシーンアイコン４０１に対応するボタンアイコンが、アイコン選択一覧画面内のどのボタンアイコンであるのかを理解しにくくなる。
【０００６】
本発明は上述した問題に鑑みてなされたものであり、自動的に表示形態の変化するアイコンと、一覧画面上のアイコンとの対応を容易に把握できる表示制御装置および方法を提供することを目的とする。
【課題を解決するための手段】
【０００７】
上記の目的を達成するための本発明の一態様による表示制御装置は以下の構成を備える。すなわち、選択画面に複数の選択肢をアイコンで表示し、前記複数の選択肢のうち特定の選択肢が選択された場合に表示される映像表示画面に、入力された映像に基づいて判定された結果に対応した表示形態で示されるアイコンであり、前記判定された結果が変化したことに応じて表示形態が変化する可変アイコンを表示するように制御する制御手段と、
前記映像表示画面を表示している際に受け付けた所定のユーザ操作に応じて、前記可変アイコンの表示形態を、前記選択画面における前記特定の選択肢に対応し、入力された映像には基づかない表示形態に変更し、該変更の後に前記選択画面を表示するように表示を切り替える切替手段と、
を備える。
【発明の効果】
【０００８】
本発明によれば、自動的に表示形態の変化するアイコンと、一覧画面上のアイコンとの対応を容易に把握することが可能になる。
【図面の簡単な説明】
【０００９】
【図１Ａ】本発明の撮像装置の一例としてのデジタルカメラの外観図。
【図１Ｂ】本実施形態のデジタルカメラの構成を示すブロック図。
【図２】デジタルカメラ１００のオートシーン判別処理のフローチャート。
【図３】デジタルカメラ１００の撮影モード選択処理のフローチャート。
【図４】オートシーン判定モードにおける表示例を示す図。
【図５】撮影モード選択画面の表示例を示す図。
【図６】オートシーンアイコンのシーン別の表示形態の例を示す図。
【発明を実施するための形態】
【００１０】
以下、添付の図面を参照して本発明の好適な実施形態について説明する。尚、以下に説明する実施形態では、本発明による装置、方法を静止画像と動画との撮影が可能なデジタルカメラである撮像装置に適用した場合を例にして説明する。
【００１１】
［デジタルカメラの構成について］
図１Ａに本実施形態の表示制御装置の一例としてのデジタルカメラ１００の外観図を示す。表示部２８は画像や各種情報を表示する表示画面を有する。シャッターボタン６１は撮影指示を行うための操作部である。モード切替スイッチ６０は各種モードを切り替えるための操作部である。コネクタ１１２は接続ケーブル１１１とデジタルカメラ１００とのコネクタである。操作部７０はユーザからの各種操作を受け付ける各種スイッチ、ボタン、タッチパネル等の操作部材より成る操作部である。コントローラホイール７３は操作部７０に含まれる回転操作可能な操作部材である。７２は電源スイッチであり、デジタルカメラ１００の電源オン、電源オフを切り替える。記録媒体２００はメモリカードやハードディスク等の記録媒体である。記録媒体スロット２０１は記録媒体２００を格納するためのスロットである。記録媒体スロット２０１に格納された記録媒体２００は、デジタルカメラ１００との通信が可能となる。蓋２０２は記録媒体スロット２０１の蓋である。
【００１２】
図１Ｂは、本実施形態によるデジタルカメラ１００の構成例を示すブロック図である。図１Ｂにおいて、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、撮像部２２から出力される映像信号であるアナログ信号をデジタル信号に変換する。バリア１０２は、デジタルカメラ１００の撮影レンズ１０３を覆うことにより、撮影レンズ１０３、シャッター１０１、撮像部２２を含む撮像系の汚れや破損を防止する。
【００１３】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１４】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１５】
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能するスルー画像表示が行なわれる。
【００１６】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。システムタイマー５３は各種制御に用いる時間や、内蔵された時計の時間を計測する計時部である。
【００１７】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等が展開される。また、システム制御部５０はメモリ３２、Ｄ／Ａ変換器１３、表示部２８等を制御することにより表示制御を行う。
【００１８】
モード切替スイッチ６０、シャッターボタン６１が有する第１シャッタースイッチ６２、第２シャッタースイッチ６４、操作部７０は、システム制御部５０にユーザによる各種の動作指示を入力するための操作手段の例である。
【００１９】
モード切替スイッチ６０は、システム制御部５０の動作モードを静止画記録モード、動画記録モード、再生モード等のいずれかに切り替える。静止画記録モードに含まれるモードとしては、オートシーン判別モード、マニュアルモード、プログラムＡＥモード、カスタムモード等がある。また撮影シーン別の撮影設定となる各種シーンモードがある。尚、シーンモードには、ポートレートモード、ムービーダイジェストモード、オートシャッターモード、夜景モード、風景モード、ナイト＆スナップモード、キッズ＆ペットモード、新緑＆紅葉モード、パーティーモード、スノーモード、ビーチモード、花火モード、水族館モード、水中モード等のモードが含まれる。ユーザはモード切替スイッチ６０を操作することで、静止画撮影モードに含まれるこれらのモードのいずれかに直接切り替えることができる。あるいは、モード切替スイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。
【００２０】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２１】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２２】
動画ボタン６３により動画撮影開始が指示されると、システム制御部５０は、ＡＦ（オートフォーカス）処理、ＡＥ（自動露出）処理、ＡＷＢ（オートホワイトバランス）処理等の動作を行う。そして、システム制御部５０は、撮像部２２から信号を読み出し、メモリ制御部１５を介して、メモリ３２に書き込むと同時に記録媒体２００に動画データを書き込み、動画記録をする。動画ボタン６３により動画終了が指示されると、システム制御部５０は、メモリ３２に保存されている残りの動画データを記録媒体２００に書き込み、動画記録を終了する。
【００２３】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。利用者は、表示部２８に表示されたメニュー画面と、上下左右の４方向ボタンやＳＥＴボタンを用いて直感的に各種設定を行うことができる。
【００２４】
コントローラホイール７３は、操作部７０に含まれる回転操作可能な操作部材であり、方向ボタンと共に選択項目を指示する際などに使用される。ユーザがコントローラホイール７３を回転操作すると、操作量に応じて電気的なパルス信号が発生する。このパルス信号によって、システム制御部５０は、コントローラホイール７３が回転操作された角度や、何回転したかなどを判定することができ、その判定にしたがってデジタルカメラ１００の各部を制御する。なお、コントローラホイール７３は回転操作が判別できる操作部材であればどのようなものでもよい。例えば、ユーザの回転操作に応じてコントローラホイール７３自体が回転してパルス信号を発生するダイヤル操作部材であってもよい。また、タッチセンサよりなる操作部材で、コントローラホイール７３自体は回転せず、コントローラホイール７３上でのユーザの指の回転動作などを判別するものであってもよい（いわゆる、タッチホイール）。
【００２５】
電源制御部８０は、電池判別回路、ＤＣ−ＤＣコンバータ、通電するブロックを切り替えるスイッチ回路等により構成され、電池の装着の有無、電池の種類、電池残量の判別を行う。また、電源制御部８０は、その判別結果及びシステム制御部５０の指示に基づいてＤＣ−ＤＣコンバータを制御し、必要な電圧を必要な期間、記録媒体２００を含む各部へ供給する。
【００２６】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００２７】
なお操作部７０の一つとして、表示部２８に対する接触を検知可能なタッチパネルを有する。タッチパネルと表示部２８とは一体的に構成することができる。例えば、タッチパネルを光の透過率が表示部２８の表示を妨げないように構成して表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩを構成することができる。システム制御部５０はタッチパネルへの以下の操作を判別できる。すなわち、
・タッチパネルを指やペンで触れたこと（以下、タッチダウンと称する）。
・タッチパネルを指やペンで触れている状態であること（以下、タッチオンと称する）。
・タッチパネルを指やペンで触れたまま移動していること（以下、ムーブと称する）。
・タッチパネルへ触れていた指やペンを離したこと（以下、タッチアップと称する）。
・タッチパネルに何も触れていない状態であること（以下、タッチオフと称する）。
【００２８】
タッチパネル上に指やペンが触れている位置座標は内部バスを通じてシステム制御部５０に通知され、システム制御部５０は通知された情報に基づいてタッチパネル上にどのような操作が行なわれたかを判定する。ムーブについてはタッチパネル上で移動する指やペンの移動方向についても、位置座標の変化に基づいて、タッチパネル上の垂直成分・水平成分毎に判定できる。またタッチパネル上をタッチダウンから一定のムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でムーブしたことが判別され、そのままタッチアップが判別されるとフリックが行なわれたと判定できる。また、所定距離以上を、所定速度未満でムーブしたことが判別された場合はドラッグが行なわれたと判定するものとする。なお、タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。
【００２９】
次に、複数の静止画撮影モードの中からオートシーン判別モードが選択された場合の動作について説明する。オートシーン判別モードの選択は、図５に示すような選択画面表示、すなわち、撮影モード選択画面５００のようなアイコン選択一覧画面において、オートシーン判別モードに対応するボタンアイコン（ボタンアイコン５０１）を選択することによりなされる。オートシーン判別モードでは、計測された露出値や撮像している画像から得られる被写体情報等に基づいて、デジタルカメラ１００に組み込まれたプログラムにより自動的にどんな撮影シーンであるかが判別される。そして、判別された撮影シーンに合わせて自動的に撮影条件が設定される。
【００３０】
オートシーン判別モードで判別される各シーンと、判別されたシーンを表すボタンアイコン（オートシーンアイコン）のシーン別の表示形態の例を図６に示す。例えば、撮影している画像から顔検出され、撮像された画像に青空が含まれることを条件として「人物／青空を含む」シーンであると判別される。「人物／青空を含む」シーンであると判別されると、表示部２８にはオートシーンアイコンがパターン６０３の表示形態で表示される。また、撮影している画像から顔が検出され、動体検出によりその顔に動きがあると判定され、さらに明るい場所であると判定されると、「人物の動き／明るい」のシーンであると判別される。「人物の動き／明るい」のシーンであると判定されると、オートシーンアイコンはパターン６０２の表示形態となる。顔が検出されずに、近接（マクロ）撮影でもなく、動体も検出されない状況で、明るい場所で撮影していると判別されると「人以外の被写体／風景／明るい」のシーンであると判別され、オートシーンアイコンはパターン６０１の表示形態で表示される。なお、各パターンのビットデータは、不揮発性メモリ５６に記憶しているものとする。また、図６では、アイコンの内容を変更することにより表示形態を変化させる例を示したが、アイコンの大きさや形を変えることにより表示形態を変化させてもよいし、これらを組み合わせて表示形態を変えるようにしてもよい。
【００３１】
図４（ａ）、（ｂ）に、オートシーン判別モードで表示部２８に表示される撮影待機画面の表示例を示す。図４（ａ）は、オートシーン判別モードで、「人物の動き／明るい」のシーンであると判別されている時の表示例である。表示部２８には、撮像部２２で撮像された画像のリアルタイム表示であるスルー画像４００が表示される。４０１〜４０２はタップすることで各種機能が発動するボタンアイコンである。また、これらボタンアイコンの中には、情報表示４０３と共に現在のデジタルカメラ１００の撮像に関する設定内容を表しているものもある。
【００３２】
オートシーンアイコン４０１は、現在オートシーン判別モードであること、及びオートシーン判別で現在判別されているシーンが何であるかを示している。すなわち、オートシーンアイコン４０１は，選択画面から選択された選択肢に応じた画面において、処理の結果（シーンの判別結果）に応じてその表示形態が変化する可変アイコンである。また、オートシーンアイコン４０１は、撮影モードを切替えるための撮影モード切替ボタンを兼ねたタッチ操作可能なボタンアイコンでもある。オートシーンアイコン４０１は、現在オートシーン判別モードであるかを示す機能、オートシーン判別で現在判別されているシーンがなんであるかを示す機能、及び、撮影モードを切替える画面に遷移する機能を兼ねている。そのため、それぞれの機能別のアイコンを用意するよりも表示スペースが節約され得る。オートシーンアイコン４０１は、オートシーン判別によって現在判別されているシーンに応じて表示形態が変わる。図４（ａ）の例では「人物の動き／明るい」のシーンであると判別ており、オートシーンアイコン４０１はパターン６０２の表示形態で表示されている。また、このオートシーンアイコン４０１にタッチ、あるいはタップ操作することで、撮影モード選択画面（図５で後述）に切替えることができる。
【００３３】
図４（ｂ）は、オートシーン判別モードで「人物／青空を含む」のシーンであると判別されている時の表示例である。撮像部２２でリアルタイムに撮像された画像であるスルー画像は図４（ａ）の時とは異なり、静止した人物が写っている。そのため、この例ではオートシーン判別によって「人物／青空を含む」のシーンであると判別されており、オートシーンアイコン４０１は、人物／青空のシーンを表すパターン６０３の表示形態で表示されている。
【００３４】
図４（ｃ）は、図４（ａ）または図４（ｂ）の表示状態で、オートシーンアイコン４０１に対するタッチアップがあった後に表示される表示部２８での表示例である。スルー画像の表示は終了し、オートシーンアイコン４０１は図４（ａ）、図４（ｂ）と同じ位置でありながら、初期状態の表示形態で表示される。また、他のアイコンの表示やスルー画像表示をやめて、別の画像（たとえば、所定色の無地の画像（撮影モード選択画面での背景色の画像））を背景として表示することで、オートシーンアイコン４０１を目立たせる。この後、初期状態の表示形態のオートシーンアイコン４０１はアニメーションをしながら撮影モード選択画面の位置へ移動し、図５に示す撮影モード選択画面となる（詳細は後述する）。なお、撮影モード選択画面におけるボタンアイコンの大きさとオートシーンアイコン４０１の大きさが異なる場合には、
・図４（ｃ）の状態でオートシーンアイコン４０１の大きさを撮影モード選択画面における大きさと合わせる（この場合、オートシーンアイコン４０１はボタンアイコン５０１と同一の表示形態となる）、
・図４（ｃ）の状態から撮影モード選択画面の表示位置へオートシーンアイコン４０１を移動する間に、アイコンの大きさを撮影モード選択画面における大きさと合わせる（この場合、オートシーンアイコン４０１はボタンアイコン５０１と相似の表示形態となる）、
・図４（ｃ）の状態から撮影モード選択画面の表示位置へオートシーンアイコン４０１を移動してから、アイコンの大きさを撮影モード選択画面における大きさと合わせる（この場合、オートシーンアイコン４０１はボタンアイコン５０１と相似の表示形態となる）、
ことなどが考えられる。
【００３５】
図２に、オートシーン判別モードにおける処理フローを示す。図２の処理は、システム制御部５０が、不揮発性メモリ５６に記録されたプログラムをシステムメモリ５２に展開して実行することで実現される。デジタルカメラ１００の電源をＯＮにし、撮影モードをオートシーン判別に切替える操作があると（後述する図３の処理などにより行われる）、図２の処理が開始する。
【００３６】
Ｓ２０１で、システム制御部５０は、オートシーンアイコン４０１を、初期状態の表示形態（以下、デフォルトの表示形態と称する）で表示する。本実施形態では、デフォルトの表示形態は「人以外の被写体／風景／明るい」のシーンを表すパターン６０１と同じ表示形態であるものとする。なお、本実施形態では、アイコンの表示形態を図６に示した表示形態の一つとしているが、撮影モード選択画面のための表示形態を別途用いるようにしてもよい。
【００３７】
Ｓ２０２において、システム制御部５０は、計測された露出値や被写体情報等に基づいてデジタルカメラ１００に組み込まれたプログラムにより自動的にシーン判別を行う。Ｓ２０３において、システム制御部５０は、Ｓ２０２で判別されたシーンを監視し、前回の判別されたシーンから今回の判別されたシーンでシーンの変化があった場合、Ｓ２０４に処理が進む。他方、シーンに変化が無かった場合、Ｓ２０５へ処理が進む。
【００３８】
Ｓ２０４では、システム制御部５０は、判別されたシーン情報に基づいてオートシーンアイコンのパターンを決定し、決定したパターンを表示する。たとえば、オートシーン判別モード処理を開始した直後の場合、Ｓ２０２で判別されたシーンが「人以外の被写体／風景／明るい」のシーンでなければ、Ｓ２０２で判別されたシーンに合わせてオートシーンアイコンのパターンが決定され、表示される。他方、オートシーン判別モード処理を開始した直後でなければ、直前までに判別されていたシーンと異なるシーンが判別されたことにより、Ｓ２０２で判別されたシーンに合わせてオートシーンアイコンのパターンが決定され、表示される。例えば、直前まで「人物の動き／青空を含む」のシーンであると判別されていた状態から、「人物／明るい」のシーンであると判別される状態に変わると、図４（ａ）の表示状態から図４（ｂ）の表示状態に変わる。すなわち、システム制御部５０は、オートシーンアイコン４０１の表示形態をパターン６０３からパターン６０２に変える。
【００３９】
Ｓ２０５において、システム制御部５０は、撮影モード選択画面５００へ表示を移行させるための所定のユーザ操作が検出されたか否かを判定する。本実施形態では、そのような所定のユーザ操作があったか否かの判定例として、オートシーンアイコン４０１に対するタッチアップ操作（オートシーンアイコン４０１の表示領域内でタッチアップする操作）があったか否かを判定する。オートシーンアイコン４０１に対するタッチアップ操作があったと判定した場合、処理はＳ２０６へ進み、そうでない場合はＳ２０９へ進む。Ｓ２０６において、システム制御部５０は、オートシーンアイコン上に現在表示されているオートシーンアイコン４０１の表示形態が、デフォルトの表示形態と同じかどうかを判定する。この判定により異なると判定された場合には処理はＳ２０７へ進み、同じと判定された場合には（すなわち「人以外の被写体／風景／明るい」のシーンが判別されていた場合）には処理はＳ２０８へ進む。
【００４０】
Ｓ２０７では、システム制御部５０は、オートシーンアイコン４０１の表示形態を、判別されているシーンにかかわらずデフォルトの表示形態に変更する。Ｓ２０８では、システム制御部５０は、撮影モード選択画面を開くまでの移行画面の表示処理（移行処理）を行う。移行処理において、システム制御部５０は、まず、スルー画像の表示を終了し、続いて表示される撮影モード選択画面での背景色でスルー画像の表示されていた部分を塗りつぶす。このときの表示例を図４（ｃ）に示す。オートシーンアイコン４０１は図４（ａ），図４（ｂ）と同じ位置に表示されているが，表示形態はＳ２０７の処理によりデフォルトの表示形態となっている。続いて、システム制御部５０は、撮影モード選択画面へ表示を移行するとともに、撮影モード選択画面におけるオートシーン判別モードを選択するためのタッチボタンの表示位置に向かって、オートシーンアイコン４０１を移動する。このとき、撮影モード選択画面における表示サイズに適合するようにオートシーンアイコン４０１を拡大していく。このようなオートシーンアイコン４０１が撮影モード選択画面の対応するボタンアイコンへ移動する過程のアニメーションが終了すると、後述の図５のような撮影モード選択画面の表示となり、図３で後述する撮影モード選択処理が行われる（Ｓ２１４）。
【００４１】
一方、Ｓ２０５にてタッチアップされていないと判定された場合、Ｓ２０９へ処理が進む。Ｓ２０９では、システム制御部５０は、撮影動作（撮影指示）が行われたかを判定し、撮影指示が行なわれたと判定された場合は処理をＳ２１０へ進める。他方、撮影指示が行なわれていない場合は、処理はＳ２１１へ進む。Ｓ２１０において、システム制御部５０は、撮影処理を行う。但し、この際に、Ｓ２０２で判別されたシーン情報に基づいてカメラの各種パラメータがそのシーンに最適なパラメータに設定されて撮影動作が行われる。
【００４２】
Ｓ２１１において、システム制御部５０は、その他の操作があったか否かを判定する。その他の操作とは、操作部７０の操作部に対する操作や、タッチパネルへのオートシーンアイコン以外に対する操作（例えばボタンアイコン４０２に対する操作等）がある。その他の操作があったと判定されると処理はＳ２１２に進み、システム制御部５０はその他の操作に応じた処理を実行する。その他の操作が無かったと判定された場合には、処理はそのままＳ２１３へ進む。
【００４３】
Ｓ２１３において、システム制御部５０は、撮影モードの終了操作があったか否かを判定する。撮影モードの終了操作とは、たとえば、モード切替スイッチ６０の操作により撮影モード以外のモード（例えば再生モード）に切り替える操作や、電源スイッチ７２の操作によって電源がオフとされる操作等である。終了操作がなかったと判定すると処理はＳ２０２に戻り、終了操作があったと判定すると撮影モード処理が終了する。
【００４４】
図３は複数の撮影モードの中から所望の撮影モードに設定を変更することが可能な撮影モード選択画面処理でのフローである。この処理は、図２のＳ２０８に続いて行われる処理（Ｓ２１４）である。図５に表示部２８に表示される選択画面表示、すなわち、撮影モード選択画面５００の表示例を示す。ボタンアイコン５０１〜５０２は各撮影モードに対応している。この中でオートシーン判別モードはボタンアイコン５０１であり、これは、オートシーン判別モードに移行した際のオートシーンアイコン４０１のデフォルトの表示形態と同じである。
【００４５】
Ｓ３０１において、システム制御部５０は、図５に示すような撮影モード選択画面５００を表示部２８に表示する。Ｓ３０２において、システム制御部５０は、ボタンアイコン５０１〜５０２のいずれかにおいてタッチアップが行われたか否かを判定する。なお、いわゆるタップ操作が行なわれたか否かを判定するようにしてもよい。タッチアップされたと判断した場合、Ｓ３０３へ処理が進む。一方タッチアップされなかったと判断した場合、タッチアップされたか否かの判断が継続される。
【００４６】
Ｓ３０３において、システム制御部５０は、Ｓ３０２で選択されたボタンアイコンに対応する撮影モードに遷移するために撮影モード選択画面５００の表示を終了する。Ｓ３０４において、システム制御部５０は、選択された撮影モードがオートシーン判別モードかを判断し、オートシーン判別モードであった場合、オートシーン判別モードに遷移する。オートシーン判別モードではないその他の撮影モードであった場合、システム制御部５０は、それぞれの条件にそって各撮影モードに遷移する。
【００４７】
以上説明したように、本実施形態によれば、オートシーン判別モードにおいては、オートシーンアイコン４０１はシーン判別の結果に応じて表示形態が自動的に変化する。そして、オートシーンアイコン４０１に対するタッチアップ操作があると、いったんその位置で表示形態をシーン判別に応じた表示形態から撮影モード選択画面で表示される表示形態と同じ表示形態に変化させる（図４（ｃ）のオートシーンアイコン４０１）。このような動作によって、ユーザは、次に表示される撮影モード選択画面において今まで使っていた撮影モード（オートシーン判別モード）を示すアイコンがどれであるかを理解することができる。また、オートシーン判別モードであった時のアイコンの表示位置（図４のオートシーンアイコン４０１の位置）から、撮影モード選択画面でのオートシーン判別モードを示すアイコンの位置（図５のボタンアイコン５０１の位置）への移動をアニメーションする。そのため、ユーザはより確実に、今まで使っていたオートシーン判別モードが、撮影モードを選択するための選択画面ではどの選択肢に該当するのかを理解することができる。従って撮影モード選択画面において意図せずに今までと同じ撮影モードを再度選択してしまうといった操作ミスを低減し、撮影モードの選択を行いやすくすることができる。
【００４８】
なお、図２のＳ２０７では、オートシーンアイコン４０１におけるタッチアップを検出した場合にオートシーンアイコン４０１の表示形態をデフォルトの表示形態に変更し、その後撮影モード選択画面に移行するようにした。これは、
・オートシーンアイコン４０１へのタッチオン中に表示形態を変更してもタッチする指に隠れて表示形態が見えなくて無意味である可能性があるため、また、
・その後の移動によってオートシーンアイコン４０１の外でタッチアップされることにより、結局撮影モード選択画面に遷移しない可能性があるため、である。
【００４９】
しかし、逆にオートシーンアイコン４０１へのタッチダウンまたはタッチオンを検知した時点でオートシーンアイコン４０１をデフォルトの表示形態に変更してもよい。この場合、その後のオートシーンアイコン４０１からのタッチアップの検出に応じてシステム制御部５０は表示を撮影モード選択画面に移行させる。このようにすると、オートシーンアイコン４０１にタッチすることで撮影モード選択画面でのオートシーン撮影モードを示すアイコンと同じ表示形態のものが表示されることになる。従ってユーザはオートシーンアイコン４０１にタッチしてアイコンがデフォルトの表示形態になったのを見て、このままオートシーンアイコン４０１の位置で指を離せば（タッチアップすれば）撮影モード選択画面に遷移するのだということを認識することができる。従って、ユーザは、
・この状態からオートシーンアイコン４０１上でタッチアップして撮影モード選択画面に移行させるか、
・オートシーンアイコン４０１とは異なる位置までムーブしてからタッチアップすることによって撮影モード選択画面を表示させないようにするか、
を判断することができる。そのため、意図せずに撮影モード選択画面が表示されてしまうことを防止することができる。
【００５０】
また、Ｓ２０７でオートシーンアイコン４０１の表示形態をデフォルトに変更した後、所定時間（数１００ｍｓｅｃ〜１秒前後）アニメーションせずにそのままの表示形態を保ったのちに、Ｓ２０８の移行処理（アニメーション）を行うようにしてもよい。この場合、たとえば、図４（ｃ）のような表示状態が上記所定時間の間維持されるようにしてもよい。このようにすることで、タッチしていた指に隠されて見えにくかったオートシーンアイコン４０１のデフォルトの表示形態を、指が離れた後でしっかりとユーザに確認させることができる。
【００５１】
また、Ｓ２０７において、可変アイコンであるオートシーンアイコン４０１の表示形態をデフォルトに戻す処理を、オートシーンアイコン４０１へのタッチオンの状態が所定時間が維持された後に行うようにしてもよい。この場合、所定時間が経過してからタッチアップがなされたことに応じて撮影モード選択画面への移行が行なわれるようにする。このようにすれば、ユーザが誤ってオートシーンアイコン４０１に触れてしまった場合にオートシーンアイコン４０１の表示形態が変化してしまうことや、不用意に撮影モード選択画面に戻ってしまうことを低減できる。
【００５２】
また、上記実施形態では、タッチパネルを用いた操作形態を説明したが、これに限られるものではない。たとえば、左右上下キーによりフォーカスするアイコンを切り替え、選択ボタンにより選択するという操作により、ボタンアイコン５０１やオートシーンアイコン４０１の選択を行えるようにしてもよい。また、Ｓ２０７で、オートシーンアイコン４０１をデフォルトに戻す処理は、オートシーンアイコン４０１が表示されている位置でなされてもよいし、撮影モード選択画面５００の対応する位置へオートシーンアイコン４０１を移動させながら行うようにしてもよい。
【００５３】
なお、システム制御部５０の制御は１つのハードウェアが行ってもよいし、複数のハードウェアが処理を分担することで、装置全体の制御を行ってもよい。
【００５４】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００５５】
また、上述した実施形態においては、本発明をデジタルカメラに適用した場合を例にして説明したが、これはこの例に限定されず、アイコンを用いた選択画面と、可変アイコンを提供する表示制御装置であれば適用可能である。すなわち、本発明は、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなど、表示装置の表示を制御する電子機器に適用可能である。
【００５６】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１Ａ】
0005889005.tif 000002
【図１Ｂ】
0005889005.tif 000003
【図２】
0005889005.tif 000004
【図３】
0005889005.tif 000005
【図４】
0005889005.tif 000006
【図５】
0005889005.tif 000007
【図６】
0005889005.tif 000008